(57)【要約】容器は、「バッグ・オン・バルブ」の構成を有するプラスチック材料の本体を備えている。このバッグは、バルブから下に延びて、ポストフォーミングジェルクレンジング組成物を収容する。バッグ内のポストフォーミングジェルクレンジング組成物に加圧するように、バッグの外側の容器内にプロペラントが備えられ、バルブステムを押し下げてバルブを開くと、ポストフォーミングジェルクレンジング組成物がバルブステムを通じて放出される。容器はキャップを備えており、キャップは、組成物をバルブステムから出口オリフィスに導くための誘導路を備えている。誘導路は、組成物をバルブステムから受け入れる拡張チャンバと、拡張チャンバから組成物を受け入れ拡張チャンバよりも小さい直径を有するネックと、ネックよりも大きい直径を有し出口オリフィスを備えたノズルとを備えている。【選択図】図２
2018504328.tif 000002
【特許請求の範囲】
【請求項１】
容器用のキャップであって、
前記容器が、バルブから下に延びてポストフォーミングジェルを収容するバッグを含む本体と、前記バッグ内の前記ポストフォーミングジェルに圧力をかけるように、前記バッグの外側の前記容器内に充填されたプロペラントを備えて、前記バルブが開いたときに、前記バルブを通して前記ポストフォーミングジェルが放出されるようになっており、
前記キャップは、前記バルブから出口オリフィスへ組成物を導くための誘導路を備えており、
前記誘導路は、前記バルブから前記組成物を受け入れるための拡張チャンバと、前記拡張チャンバよりも直径が小さく前記拡張チャンバから前記組成物を受け入れるネックと、前記出口オリフィスを備え且つ前記ネックよりも直径が大きいノズルとを備えており、前記拡張チャンバと前記ネックとの間にテーパ付きマウス部を備えていることを特徴とする容器用のキャップ。
【請求項２】
前記マウス部は円錐台状である請求項１に記載の容器用のキャップ。
【請求項３】
前記出口オリフィスの直径は、２．５ｍｍから３．５ｍｍの間である請求項１または２に記載の容器用のキャップ。
【請求項４】
前記出口オリフィスの直径は、２．７ｍｍから３．３ｍｍの間である請求項３に記載の容器用のキャップ。
【請求項５】
前記出口オリフィスと前記ノズルの直径は、実質的に一定な２．５ｍｍから３．５ｍｍの間の内径である請求項３に記載の容器用のキャップ。
【請求項６】
前記出口オリフィスと前記ノズルの直径は、実質的に一定な２．７ｍｍから３．３ｍｍの間の内径である請求項３に記載の容器用のキャップ。
【請求項７】
前記ノズルと前記出口オリフィスは、実質的に一定な約３ｍｍの直径を有している請求項１乃至６のいずれか１項に記載の容器用のキャップ。
【請求項８】
前記拡張チャンバ及び／または前記ネック及び／または前記ノズルは、円筒状である請求項１乃至７のいずれか１項に記載の容器用のキャップ。
【請求項９】
前記ネックの内径は、０．７ｍｍから１．１ｍｍの間である請求項１乃至８のいずれか１項に記載の容器用のキャップ。
【請求項１０】
前記ネックの内径は、０．８ｍｍから１ｍｍの間である請求項９に記載の容器用のキャップ。
【請求項１１】
前記ネックの内径は、約０．９ｍｍである請求項９に記載の容器用のキャップ。
【請求項１２】
前記拡張チャンバの内径は、２．５ｍｍから３．５ｍｍの間である請求項１乃至１１のいずれか１項に記載の容器用のキャップ。
【請求項１３】
前記拡張チャンバの内径は、２．７ｍｍから３．３ｍｍの間である請求項１２に記載の容器用のキャップ。
【請求項１４】
前記拡張チャンバの内径は、約３ｍｍである請求項１３に記載の容器用のキャップ。
【請求項１５】
前記拡張チャンバの直径は、前記ノズル及び／または前記出口オリフィスの内径と実質的に等しい請求項１乃至１４のいずれか１項に記載の容器用のキャップ。
【請求項１６】
前記ノズル及び／または前記拡張チャンバの内径と前記ネックの直径との比率は、２．５：０．９から３．５：０．９である請求項１乃至１５のいずれか１項に記載の容器用のキャップ。
【請求項１７】
前記ノズル及び／または前記拡張チャンバの内径と前記ネックの直径との比率は、２．７：０．９から３．３：０．９である請求項１６に記載の容器用のキャップ。
【請求項１８】
前記ノズル及び／または前記拡張チャンバの内径と前記ネックの直径との比率は、約３：０．９である請求項１７に記載の容器用のキャップ。
【請求項１９】
前記ネックの長さは、０．７ｍｍから１．１ｍｍの間である請求項１乃至１８のいずれか１項に記載の容器用のキャップ。
【請求項２０】
前記ネックの長さは、０．８ｍｍから１ｍｍの間である請求項１９に記載の容器用のキャップ。
【請求項２１】
前記ネックの長さは、約０．９ｍｍである請求項２０に記載の容器用のキャップ。
【請求項２２】
前記ネックの長さと前記ネックの直径との比率は、０．６：１から１．５：１である請求項１乃至２１のいずれか１項に記載の容器用のキャップ。
【請求項２３】
前記ネックの長さと前記ネックの直径との比率は、０．８：１から１：１．２である請求項１乃至２２のいずれか１項に記載の容器用のキャップ。
【請求項２４】
前記ネックの長さと前記ネックの直径との比率は、約１：１である請求項１乃至２３のいずれか１項に記載の容器用のキャップ。
【請求項２５】
前記円錐台状のマウス部の長さは、０．３ｍｍから０．４ｍｍの間である請求項２乃至２４のいずれか１項に記載の容器用のキャップ。
【請求項２６】
前記円錐台状のマウス部の長さは、０．３２ｍｍから０．３８ｍｍの間である請求項２５に記載の容器用のキャップ。
【請求項２７】
前記円錐台状のマウス部の長さは、約０．３５ｍｍである請求項２６に記載の容器用のキャップ。
【請求項２８】
前記拡張チャンバの長さは、１ｍｍから２ｍｍの間である請求項１乃至２７のいずれか１項に記載の容器用のキャップ。
【請求項２９】
前記拡張チャンバの長さは、１．３５ｍｍから１．６５ｍｍの間である請求項２８に記載の容器用のキャップ。
【請求項３０】
前記拡張チャンバの長さは、約１．５２ｍｍである請求項２９に記載の容器用のキャップ。
【請求項３１】
前記拡張チャンバの長さと前記拡張チャンバの直径との比率は、０．７５：３から２．５：３である請求項１乃至３０のいずれか１項に記載の容器用のキャップ。
【請求項３２】
前記拡張チャンバの長さと前記拡張チャンバの直径との比率は、１：３から２：３である請求項３１に記載の容器用のキャップ。
【請求項３３】
前記拡張チャンバの長さと前記拡張チャンバの直径との比率は、約１．５：３である請求項３２に記載の容器用のキャップ。
【請求項３４】
前記拡張チャンバと前記ネックは、同軸である請求項１乃至３３のいずれか１項に記載の容器用のキャップ。
【請求項３５】
請求項１乃至３４のいずれか１項に記載の容器用のキャップを備えた容器。
【請求項３６】
プラスチック材料からなる本体を備えた請求項３５に記載の容器。
【請求項３７】
前記バッグがバルブステムから下に延びており、前記バルブステムは前記バルブを開くために押し下げられ、前記誘導路は前記組成物を前記バルブステムから前記出口オリフィスに導き、前記拡張チャンバは前記バルブステムから前記組成物を受け入れる、請求項３５または３６に記載の容器。
【請求項３８】
前記ポストフォーミングジェルは、ポストフォーミングジェルクレンジング組成物である請求項３５乃至３７のいずれか１項に記載の容器。
【請求項３９】
前記ポストフォーミングジェルは、ポストフォーミング剤を含んでいる請求項３５乃至３８のいずれか１項に記載の容器。
【請求項４０】
前記ポストフォーミング剤が、ベースジェルに対して５：９５から８５：１５の重量／重量比で、備えられている請求項３９に記載の容器。
【請求項４１】
前記ポストフォーミング剤と前記ベースジェルとの重量／重量比は、約１０：９０である請求項４０に記載の容器。
【請求項４２】
前記ポストフォーミング剤が、３から６の炭素原子を有する非極性飽和脂肪族炭化水素である請求項３９乃至４１のいずれか１項に記載の容器。
【請求項４３】
前記ポストフォーミング剤は、ブタン、イソブタン、イソペンタン、ｎ−ペンタン、ｎ−ヘキサン、２−メチルペンタン、３−メチルペンタン、２，３−ジメチルブタン、２，２−ジメチルブタン及びそれらの混合物から選択される請求項４２に記載の容器。
【請求項４４】
前記噴射剤が、不燃性圧縮ガスである請求項３５乃至４３のいずれか１項に記載の容器。
【請求項４５】
前記プロペラントが、窒素または空気である請求項３５乃至４４のいずれか１項に記載の容器。
【請求項４６】
前記プロペラントが、前記バッグの内容物の実質的に全てが排出されるまで少なくとも２．２バールから少なくとも７．３バールの圧力である請求項３５乃至４５のいずれか１項に記載の容器。
【請求項４７】
前記バッグがジェルで充填されているが、前記ジェルが排出される前の前記プロペラントの初期圧力は、６バールから１０バールの間である請求項３５乃至４６のいずれか１項に記載の容器。
【請求項４８】
前記プロペラントの前記初期圧力は、７バールから８バールの間である請求項４７に記載の容器。
【発明の詳細な説明】
【技術分野】
【０００１】
本発明は、ポストフォーミングジェルクレンジング組成物用容器用キャップに関する。
【背景技術】
【０００２】
欧州特許第１４９３８０２号公報に開示されているようなポストフォーミングジェルクレンジング組成物（post-foaming gel cleansing compositions）が一般的な製品である。現在、それらは、「バッグオンバルブ（bag on valve）」システムを介してブリキ（tinplate）またはアルミニウム（aluminium）の缶から排出される。ポストフォーミングジェル組成物は缶のバルブに接続されたバッグ内に備えられ、バルブが開かれたときにバッグが圧縮されるように缶が加圧され（バッグの外側）、缶から製品を押し出す。バッグ内の圧力は液体ブタン（liquid butane）によりもたらされ、約３バール（３００ｋＰａ）である。これは泡（foam）を放出するのに十分であるが、出口で直ちに泡立たないことを確保し、泡立つ前にジェルとして現れ、缶からあまり遠くに噴出することはない。これらは、圧力が高い場合に缶から出る際に霧化しないジェルタイプの製品にとっての問題となる可能性がある。
【０００３】
費用や環境などの理由で、現在使用されているブリキ/アルミニウムの缶の代わりにプラスチックの缶を使用することが望ましいと考えられている。しかしながら、様々な理由により、プラスチック容器は、既存の金属缶を単に代替することはできない。例えば、同じプロペラント（propellant）であるブタンをプラスチック容器内のプロペラントとして使用すべきではない。使用されるプロペラントは不燃性（non-flammable）でなければならないため、圧縮窒素（nitrogen）や空気などのガスを代わりに使用する必要がある。これにより、容器（vessel）内の初期圧力（initial pressure）がより高くなり、典型的な初期圧力が７〜８バールとなり、バッグからの製品の排出が減少する。
【０００４】
現在のポストフォーミングジェル用の缶のキャップは、バルブから出口オリフィス（exit orifice）への流路（flow path）を規定する誘導路（conduit）を備えている。キャップには、バルブステム（valve stem）の真上に位置するようにキャップ側から内部に延びるノズルを備えている。キャップ上のノズルの下側には小さな穴が設けられ、キャップ上のノズルとバルブステムを通る開口部とを接続している。ノズルと接続した小さい穴の回りに環状面（annular surface）が備えられており、バルブステムの上方の環状面を押し、缶の本体に向かって押し出すと、バルブが開き、ジェルが排出される。
【０００５】
現在のポストフォーミングジェルクレンジング組成物を備えた既存のキャップを高圧下（under higher pressure）のプラスチック容器内で使用すると、許容できない噴射距離（jetting distance）につながる。高圧下では、ジェルは誘導路を通って、より高い割合（higher rate）でバッグから排出されるため、ユーザーが排出されたジェルを捕捉して制御することが困難になる。キャップ内のノズルを通る誘導路の直径が増加すると、容器からの流量（rate of flow）を減少させることができ、噴射距離を許容レベル（例えば、６０ｃｍ未満）に減少させる。しかしながら、ノズルを通って放出されるジェルの品質は、著しく劣り、透明さに欠けている。例えば欧州特許第１４９３８０２号公報において設計されているように、ジェルと泡（lather）との間のコントラストが十分に理解することができるように、ポストフォーミングジェルは最初は不透明でも濁っているのでもなく、透明であることが非常に望ましい。
【先行技術文献】
【特許文献】
【０００６】
【特許文献１】欧州特許第１４９３８０２号公報
【特許文献２】米国特許第７７３０９１１号公報
【特許文献３】ＷＯ２０１１０４２７５９
【発明の概要】
【発明が解決しようとする課題】
【０００７】
本発明の目的は、ポストフォーミングジェルクレンジング組成物をプラスチック容器に収容することに関するこれらの問題を改善または軽減することである。
【課題を解決するための手段】
【０００８】
本発明の一つの形態においては、プラスチック材料のバッグを含む本体を備える容器が提供される。バッグはバルブから下に延びて（depending from）ポストフォーミングジェルクレンジング組成物を収容する。バルブはバルブステムを備えている。バッグ内のポストフォーミングジェルクレンジング組成物に圧力をかけるように、バッグの外側の容器内にプロペラントを備えている。バルブを開くためにバルブステムを押し下げると、バルブステムを通してポストフォーミングジェルクレンジング組成物が放出される。容器は、キャップを備えており、該キャップは、バルブステムから出口オリフィスへ組成物を導くための誘導路を備えている。誘導路は、バルブステムから組成物を受け入れるための拡張チャンバ（expansion chambe）と、拡張チャンバよりも直径が小さく拡張チャンバから組成物を受け入れるためのネック（neck）と、出口オリフィスを備え且つネックよりも直径が大きいノズルとを備えている。
【０００９】
本発明の他の形態においては、バッグを含む本体を備える容器用のキャップが提供される。バッグはバルブから下に延びてポストフォーミングジェルを収容する。バッグ内のポストフォーミングジェルに圧力をかけるように、バッグの外側の容器内にプロペラントを備えている。バルブが開くと、バルブを通してポストフォーミングジェルが放出される。キャップは、バルブから出口オリフィスへ組成物を導くための誘導路を備えている。誘導路は、バルブから組成物を受け入れるための拡張チャンバと、拡張チャンバよりも直径が小さく拡張チャンバから組成物を受け入れるためのネックと、出口オリフィスを備え且つネックよりも直径が大きいノズルとを備えている。特に、拡張チャンバとネックとの間にテーパ付きマウス部（mouth portion）を備えている。
【００１０】
拡張チャンバを設け、その中に入るジェルがネックにより細くなる前に初めに膨張して、キャップのノズルを通ることができるため、高品質の透明なジェルを維持するだけでなく、過度の噴射距離を避けるために十分に大きい直径のノズルを許容することができる。以下の選択的／好ましい特徴は、両方の形態に同じように適用される。
【００１１】
誘導路は、拡張チャンバとネックとの間に円錐台状（frustoconical）のマウス部を備えているのが好ましい。
【００１２】
出口オリフィスの直径は、２．５ｍｍから３．５ｍｍの間であることが好ましく、２．７ｍｍから３．３ｍｍの間であることがより好ましい。ノズルは、実質的に一定な２．５ｍｍから３．５ｍｍの間の内径であることが好ましく、２．７ｍｍから３．３ｍｍの間であることがより好ましい。
【００１３】
さらに、出口オリフィスの直径とノズルの内径は、実質的に一定な約３ｍｍであることがより好ましい。
【００１４】
本発明の拡張チャンバとネックとを備えている場合、高圧下の製品においてさえも、このサイズのノズルと出口オリフィスは、適切な噴射距離をもたらす。
【００１５】
拡張チャンバ及び／またはネック及び／またはノズルは、円筒状（cylindrical）であることが好ましい。
【００１６】
ネックの内径は、０．７ｍｍから１．１ｍｍの間であることが好ましく、０．８ｍｍから１ｍｍの間であることがより好ましく、約０．９ｍｍであることが最も好ましい。
【００１７】
拡張チャンバの内径は、２．５ｍｍから３．５ｍｍの間であることが好ましく、２．７ｍｍから３．３ｍｍの間であることがより好ましく、約３ｍｍであることが最も好ましい。
【００１８】
拡張チャンバの内径は、ノズル及び／または出口オリフィスの内径と実質的に等しいことが好ましい。
【００１９】
ノズル及び／または拡張チャンバの内径とネックの直径との比率は、２．５：０．９から３．５：０．９であることが好ましく、２．７：０．９から３．３：０．９であることがより好ましく、約３：０．９であることが最も好ましい。
【００２０】
ネックの長さは、０．７ｍｍから１．１ｍｍの間であることが好ましく、０．８ｍｍから１ｍｍの間であることがより好ましく、約０．９ｍｍであることが最も好ましい。
【００２１】
ネックの長さとネックの直径との比率は、０．６：１から１．５：１であることが好ましく、０．８：１から１：１．２であることがより好ましく、約１：１であることが最も好ましい。
【００２２】
円錐台状のマウス部の長さは、０．３ｍｍから０．４ｍｍの間であることが好ましく、０．３２ｍｍから０．３８ｍｍの間であることがより好ましく、約０．３５ｍｍであることが最も好ましい。
【００２３】
拡張チャンバの長さは、１ｍｍから２ｍｍの間であることが好ましく、１．３５ｍｍから１．６５ｍｍの間であることがより好ましく、約１．５２ｍｍであることが最も好ましい。
【００２４】
拡張チャンバの長さと拡張チャンバの直径との比率は、０．７５：３から２．５：３であることが好ましく、１：３から２：３であることがより好ましく、約１．５：３、例えば、１．５２：３であることが最も好ましい。
【００２５】
プロペラントは、不燃性圧縮ガス（non-flammable compressed gas）でもよく、窒素または空気であることが好ましい。
【００２６】
バッグ内にジェルがある場合において、プロペラントは、バッグの内容物の実質的に全てが排出されるまで少なくとも２．２バールから少なくとも７．３バールの圧力であることが好ましい。プロペラントの初期圧力（ジェルがバッグ内にある場合）は、６バールから１０バールの間であることが好ましく、７バールから８バールの間であることがより好ましい。
【００２７】
拡張チャンバとネックは、同軸であることが好ましい。
【００２８】
ポストフォーミングジェルは、ポストフォーミングジェルクレンジング組成物であることが好ましい。
【００２９】
ポストフォーミングジェルは、ポストフォーミング剤（post-foaming agent）を含んでいることが好ましい。
【００３０】
ポストフォーミング剤が、ベースジェル（base gel）に対して５：９５から８５：１５の重量／重量比で備えられていることが好ましい。
【００３１】
ポストフォーミング剤と前記ベースジェルとの重量／重量比は、約１０：９０であることが好ましい。
【００３２】
ポストフォーミング剤が、３から６の炭素原子を有する非極性飽和脂肪族炭化水素（non-polar saturated aliphatic hydrocarbon）であることが好ましい。
【００３３】
ポストフォーミング剤は、ブタン（ butane）、イソブタン（isobutane）、イソペンタン（isopentan）、ｎ−ペンタン（n-pentane）、ｎ−ヘキサン（n-hexane）、２−メチルペンタン（2-methylpentane）、３−メチルペンタン（3-methylpentane）、２，３−ジメチルブタン（2,3-dimethylbutane）、２，２−ジメチルブタン（2,2-dimethylbutane）及びそれらの混合物から選択されることが好ましい。
【００３４】
排出は、出口オリフィスから０．７５ｍ〜１ｍに制限されるのが好ましい。排出距離（discharge distance）は、充填され加圧された未使用の容器１を平らな（水平な）面上に立て、操作ボタン５を完全に強く押すことによって測定してもよい。測定は、容器１の前面から、ジェルが平らな面に接触した最も遠い点までを測定する。
【００３５】
拡張チャンバは、ジェルを受け取り蓄積するように構成されたアキュムレータ（accumulator）であってもよく、それにより、泡の発生を防止してネックへジェルが一定に供給されることを確実にする。
【００３６】
ポストフォーミングジェル組成物は、水（５０％以上）、５％以上３０％以下の界面活性剤[surfactant]（アニオン性[anionic]、両性[amphoteric]及び非イオン性[nonionic]から選択される）、及び３から６の炭素原子を有する非極性飽和脂肪族炭化水素を少なくとも１つ含むポストフォーミング剤（５〜１５％）を包含していてもよく、皮膚軟化剤（emollient）、保湿剤（humectant）、防腐剤（preservative）、レオロジー改良剤（rheology modifier）、ｐＨ調節剤（pH adjuster）、染料（dye）、香料（fragrance）、および/またはキレート剤（chelating agent）を選択的に包含していてもよい。
【図面の簡単な説明】
【００３７】
【図１】本発明の容器の正面図である。
【図２】図１の容器のキャップの側面から見た部分断面図である。
【図３】図１及び図２の容器のキャップの一部を通る側面から見た断面図である。
【発明を実施するための形態】
【００３８】
本発明をより明確に理解させるために、ほんの一例として、添付の図面を参照しながら、以下で実施の形態を説明する。
【００３９】
図面を参照すると、容器１は、バルブ（図示せず）から下に延びたバッグ（図示せず）を含むプラスチックの中空の略円筒形の本体２を備えている（米国特許第７７３０９１１号公報における例示は、参照によりその内容は本明細書に組み込まれる）。円筒状本体は、容器の壁とバッグとの間が８バールの初期圧力となっている、例えば、圧縮窒素のようなプロペラントガス（propellant gas）を収容している。バルブステムの押し下げに応じて、管状のバルブステム（図示せず）を介して、バッグ内からポストフォーミングジェルクレンジング組成物を放出する（欧州特許第１４９３８０２号公報における例示は、参照によりその内容は本明細書に組み込まれる）。
【００４０】
容器１は、正面に出口オリフィス４を備えたキャップ３を備えている。出口オリフィス４を通じて、キャップ３上に形成されたボタン５の作動に応じてポストフォーミングジェルクレンジング組成物が放出される。
【００４１】
キャップ３は概ね円錐台状であり、概ね円筒状の容器１の頂部もまたバルブ（図示せず）が取り付けられている領域まで上方に延びる円錐台形状の頂部を備えている。キャップのベースは容器の本体の上に置かれ、ビード（bead）６は、バルブおよび概ね円筒状の本体に接続するためにベースの内側上方に設けられる。一旦接続されると、容器のバルブ（図示せず）のステム（図示せず）は本体２の頂部の中心から上向きに延びて、位置合わせキャビティ（aligning cavity）７に嵌合する。位置合わせキャビティ７は、図３で最もよくわかるように、円筒状の上部７ａと円錐台状の下部７ｂとを備えている。円筒状の上部７ａは、バルブのステムの外径にほぼ等しい内径を有し、ステムの外面をぴったりと把持するように構成されている。円錐台状の下部７ｂは、円筒状の上部７ａの底からテーパを持ち、ステムを位置合わせキャビティ７の上部７ａの中に導くように構成されている。例えば、ステムの直径が３．９ｍｍである場合、円筒状部分は３．８８ｍｍであり、強い接続がなされる。円錐台状の下部７ｂの小さい方の（上側の）端部の直径は、ステムの直径に等しく、位置合わせキャビティ７の円錐台状部分の広い方の端部の直径の例は、６ｍｍである。
【００４２】
位置合わせキャビティの円筒状の上部７ａの頂部には、円環状の円錐台状の面７ｃが備えられており、円筒状の上部の上端外周から内側にわずかに上方に延び、バルブステムの円環状の上面の頂点が位置するようになっている。この面を押し下げてバルブステムを押し下げ、バルブを開くことにより、ポストフォーミングジェルクレンジング組成物がステムを通って排出される。位置合わせキャビティ７の全長は４．９４ｍｍであり、キャビティの頂部の円錐台状の面７ｃは高さ０．４４ｍｍであり、残りの長さの約３分の１は円筒状の上部７ａであり、残りの３分の２は円錐台状の下部７ｂである。
【００４３】
位置合わせキャビティ７の円環状の面７ｃの内側の上縁から、円筒状の拡張チャンバ８が上方に延びている。拡張チャンバ８は、直径３．０ｍｍ、長さ１．５２ｍｍであり、約１０．７４ｍｍ2の容積を有する。
【００４４】
円筒状の拡張チャンバ８の上面は、再び環状であり、今回は平坦な環状部である。
【００４５】
拡張チャンバ８の上面を形成する平坦な環状部の内縁から、４５度のピッチおよび０．３５ｍｍの高さを有する円錐台状のマウス部９が内向きおよび上向きに延びている。
【００４６】
円錐台状のマウス部の上端は、０．９ｍｍの狭い直径および０．９ｍｍの高さを有するネック１０を形成する円筒状のキャビティに接合される。
【００４７】
この細いネック１０は、軸方向に配置された位置合わせキャビティ７、拡張チャンバ８、円錐台状のマウス部９およびネック１０から横方向に離れて伸びるノズル１１の底に通じる。ノズル１１は、キャップ３内の他の実質的に円筒状のキャビティであり、直径３．０ｍｍである。
【００４８】
これらの特徴を有するキャップは、例えばポリプロピレン（polypropylene）のようなプラスチックにより射出成形してもよい。誘導路（conduit）の特徴の全て（すなわち、ノズル１１、ネック１０、マウス部９、拡張チャンバ８および位置合わせキャビティ７）は、キャップ３の可動部１２に設けられている。可動部１２は、周辺部１３から分離して設けられているが、正面側の出口オリフィス４の下方においてのみ、キャップの残りの部分に接続されている。可動部１２を揺動可能（pivotable）にすることにより、ボタン５を押し下げた場合は、位置合わせキャビティ７の押し下げ面７ｃをステム（図示せず）の環状上面に向かって下方に移動させて、ポストフォーミングジェルクレンジング組成物の排出を開始させる。
【００４９】
ノズルは、いずれかの側に０．５度のテーパを有しており、成形中にノズルを形成する金属ピンを除去することを可能にするために、他の概ね円筒状の部分は非常にわずかなテーパを有している。
【００５０】
容器１は、当業者に周知の技術で製造することができる。すなわちバッグ（図示せず）を取り付けた状態でバルブ（図示せず）を容器の本体２に取り付けること、ポストフォーミングジェル組成物をバッグに充填すること、バッグと本体２の壁との間に圧縮ガス（例えば、窒素）を導入することができる。次いで、キャップ３を、容器の本体２に押し付けて取り付け、位置合わせキャビティ７がバルブ（図示せず）のステム（図示せず）と位置合わせをするようにし、ビード６は、バルブと容器１の本体２との間に形成された溝（図示せず）内に取り付ける。
【００５１】
ポストフォーミングジェル組成物のための適切なベースジェルは以下の成分を有する：
成分［component］              機能[Function]          量[Quantity]（％ w/w）
水                              溶媒                    ６８．８０〜７５．００
（Water）                          （Solvent）
ＥＤＴＡ・二ナトリウム            キレート剤                ０．０５〜０．３０
（Disodium EDTA）                （Chelating Agent）
クエン酸                        ｐＨ調整剤                ０．０５〜０．３０
（Citric Acid）                  （pH Adjuster）
メチルジブロモグルタロニトリル
およびフェノキシエタノール        防腐剤                    ０．０５〜０．１０
（Methyldibromo Glutaronitrile    （Preservative）
and Phenoxyethanol）
ラウレス硫酸ナトリウム          一次界面活性剤            １７．５０〜２２．００
（Sodium Laureth Sulfate）      （Primary Surfactant）
コカミドプロピルベタイン        起泡力増進剤                ０．５〜３．００
（Cocamidopropyl Betaine）      （Foam Booster）
ヤシ油脂肪酸ＰＥＧ−７          スキンコンディショニング剤  ０．５０〜１．５０
グリセリル                      /非イオン性ゲル化剤
（PEG-7 Glyceryl Cocoate）      （Skin conditioning agent
/non-ionic gelling agent）
グリセリン                      スキンコンディショナー剤    ０．１０〜２．００
（Glycerin）                   （Skin conditioning agent）
顔料                            着色料                      0.0005〜0.0010
（Colour）                     （Colourant）
香料                            マスキング剤                ０．７０
（Parfum）                     （Masking Agent）
ラウレス−４                    ゲル化剤                    ０．００〜８．２５
（Laureth-4）                   （Gelling Agent）
このベースジェルは、ブタン、イソブタン、イソペンタン、ｎ−ペンタン、ｎ−ヘキサン、イソヘキサン[isohexane]（いずれも３種の異性体：２−メチルペンタン、３−メチルペンタンおよび２，３−ジメチルブタン）およびネオヘキサン[neohexane]（２，２−ジメチルブタン）、およびそれらの混合物のようなポストフォーミング剤と８５：１５〜９５：５（例えば９０：１０）の比率で混合され、ポストフォーミングジェルクレンジング組成物として提供される。他の適切なジェルは、ＷＯ２０１１０４２７５９に例示されている。
【００５２】
使用時には、ユーザーは、容器１の本体２を一方の手に保持し、ボタン５を指または親指で押し下げ、容器の底面の方向、すなわち「下方に」押す。言うまでもなく、「上方」および「下方」などの表現は単に理解を容易にするためであり、使用中は、容器１の頂部が底面の上方に垂直に配置される必要はない。たいがい容器は少なくとも幾分直立した角度で保持されるが、場合によっては垂直方向よりも水平方向に向けられる。ユーザーのもう一方の手は、典型的には、出口オリフィス４の下でカップ状にされ、ポストフォーミングジェルクレンジング組成物を受け止める。ボタン５を押し下げると、キャップの可動部１２が底面に向かって下方に移動し、位置合わせキャビティ７の押し下げ面７ｃがステムを下方に押してバルブを開く。これにより、バッグから出た組成物がステムを通って拡張チャンバ８内に入る。次いで、拡張チャンバから押し出されたジェルがマウス部９を通ってネック１０入り、狭い直径のために流れが制限される。次いで、組成物は、幅の狭いネック１０からより広いノズル１１に流出し、流量が減少する。その結果、組成物は、ノズル１１に沿って流れて、過剰な噴射距離を避ける速度で出口オリフィス４を出る。ネックとノズルの前に拡張チャンバを通る流れは、ジェルの透明度を維持する。
【００５３】
充填した缶の排出距離は、７５ｃｍ〜１ｍ以内でなければならない。これは、充填及び加圧された未使用の容器１を平らな（水平な）面に立て、操作ボタン５を完全に強く押すことによって測定される。測定は、容器１の前面から、ジェルが平らな面に接触した最も遠い点までを測定する。上記の実施形態は単なる例示として説明される。添付の特許請求の範囲に規定される本発明の範囲から逸脱することがない、多くの変形が可能である。特に、キャップの説明は、バッグオンバルブタイプのポストフォーミングジェルクレンジング組成物のためのプラスチック容器（およびそれにキャップが使用される対象となる製品）に関するものであったが、キャップが、例えば、クレンジング組成物以外のポストフォーミングジェル（例えば、シェービングジェル）用のものであったり、バルブステムを有さないバルブを備えたものであったり、または「バッグインキャン（bag-in-can）」の排出システムを有する金属缶のような、他の容器への有用性を見出すことも可能である。
【図１】
2018504328.tif 000003
【図２】
2018504328.tif 000004
【図３】
2018504328.tif 000005
【国際調査報告】
2018504328.tif 000006
2018504328.tif 000007